(57)【要約】【課題】 犬などペットの奮等汚物を、手や用具を汚すことなく清潔で容易に集納できる、ペットの奮等汚物の集納用具を提供する。【解決手段】Ａプレート板大の（開口部を明けた）面とＢプレート板小（クランク形状）の面をバネ付き丁番を介して中開に連設した本体に、ビニール袋をセットして路上等の奮等汚物に覆う様にして、本体のバネ付き丁番を介して手の握力で握ると奮等は、Ｂプレート板小の下部面に弾かれる様にＡプレート板大の開口部を通って、セットされているビニール袋のおくまで押し込まれ、手や用具を汚す事なく、清潔にワンタッチで奮等を集納するように構成したものである。【選択図】    図８
2006223135.tif 000002
【特許請求の範囲】
【請求項１】
Ａ、Ｂ、２枚のプレート板大、小それぞれの上部一辺をバネ付き丁番で中開き状態に連設して、Ａプレート板大の下部に開口部を設け、本体Ａ大、Ｂ小のプレート板を手で握つて閉じる事により、Ｂプレート板小の下部がＡプレート板大の開口部を通過して、本体の外部に飛び出すように構成したことを特徴とするペットの奮等汚物の集納用具。
【請求項２】
請求項１の集納用具本体にビニール袋をセットして、地面等に落ちた犬の奮等を覆うように握力で閉じると奮等が、Ｂプレート板小、に押されて弾かれる様にＡプレート板大の下部開口部を通過してＡプレート大、外部のビニール袋内に一回の握力動作で集めて納める様に構成したことによって、複数箇所の奮等を連続して集納することの出来ることを特徴とする請求項１のペットの奮等汚物の集納用具。
【発明の詳細な説明】
【技術分野】
【０００１】
本発明は、犬等ペットの奮や汚物の集納を、手や用具を汚す事なく簡単で快適に行うための用具の構造に関するものである。
【背景技術】
【０００２】
従来より、たとえば犬の場合では犬も人も楽しく散歩しますが、自然環境を汚さないように奮等の始末をビニール袋に手を入れてつま摘み取る、又は火ばさみスコップ等の用具で摘まみ取る等苦手な作業を日常なされている。
または、特開２００１ー８５７０号公報によると、図２、図３の様に奮をいったん回収して図４図５の様に該奮を回収器を逆さまにして符号５袋体に移動回収する提案がなされている。
【特許文献１】特開２００１ー８５７０号公報
【発明の開示】
【発明が解決しようとする課題】
【０００３】
しかし、従来の方法では薄いビニール膜を介して奮等を摘まむのでいやな感触が手に伝わり気分の悪いものであり、なお用具の洗浄も課題である。
さらに上述の広報の提案も符号５の袋体に該奮を誘導集納にはさらに一手間を要するものである。
【０００４】
そこで、本発明は簡単な機構によって、犬等の散歩に伴う奮の集納で手を汚すことも更に用具も汚さず容易に同伴者の負担を軽減できるペットの奮と汚物の集納用具（以下集納用具と言う）を提供することを目的としてなされたものである。
【課題を解決するための手段】
【０００５】
本発明にかかる集納用具の請求項１では、Ａ板，Ｂ板２枚のプレート板それぞれの上部の一辺をバネ付き丁番で中開き状態に連設して、Ａプレート板大の下部に開口部を設けＡプレート板大、Ｂプレート板小下部を握力で閉じると、前期奮等がＢプレート板小に弾かれＡプレート板大の開口部を、通過するように構成した。
【０００６】
請求項２では、Ａプレート板大、Ｂプレート板小からなる本体にビニール袋（スーパー等の買い物袋のリサイクルでもよい）をセットするように構成した。
【発明の効果】
【０００７】
本発明は、前記説明のように構成されているので例えば犬との散歩中に奮をした場合に、片手に綱を引いていても、他の片手で容易に奮を処理することができるる。
【０００８】
さらに奮を集納の為にセットする袋はスーパ等の買い物袋の（適宜な大きさ）リサイクルでも良いので容易で安価でもある。
【発明を実施するための最良の形態】
【０００９】
以下に、本発明にかかる集納具を、その実施の形態を示した図面に基づいて詳細に説明する。
【実施例】
【００１０】
図１は、本発明のー実施形態にかかる集納具の、測断面図である。
１，Ａプレート板大、２，Ｂプレート板小を３，バネ付き丁番を介して、下部が中開状態に連接、（片手の握力で閉じる）開閉自在に構成されている。
【００１１】
図２は、測断面図１を握力で３バネ付丁番を介してＡプレート板大、Ｂ，プレート板小の下部が閉じた測面図で２，Ｂプレート板小（Ａ、Ｂプレート板いずれでも良い側面がクランク又はくの文形状）の下部が、１，Ａプレート板大の４，開口部を（交差）通過して７，奮を跳ね飛ばす様に押し込む過程を表す図面である。
【００１２】
図３は、図１の測面図である、図４は、正面図でＡプレート板大の下部に４開口部を窓の様に開設したものである、図５は、裏面図で２，Ｂプレート板小を表す図面である。
【００１３】
図６、図７は本発明の集納具に６，ビニール袋等を５，クリップ等でセットする手順を示す図である。
【００１４】
図８、図９、図１０、図１１は８，地面等の７，奮等を覆い、手の握力で本体を閉じ７，奮等を２，Ｂプレート板下部で跳ね飛ばす様に、６，ビニール袋の奥に集納して、図１０で５，クリップ等を外し図１１の様に、７，奮等の集納した６，ビニール袋を切り外す手順を示す図である。
【図面の簡単な説明】
【００１５】
【図１】本発明の側断面図である。（開いた状態を示す）
【図２】図１の側面図である。    （閉じた状態を示す）
【図３】図１の側面図である。    （開いた状態を示す）
【図４】正面図である。
【図５】裏面図である。
【図６】前記本体にビニール袋の取り付け手順を示す側断面図１である。
【図７】ビニール袋の手順を示す側断面図２である。
【図８】本体で奮等を覆う様に被せた側断面図である。
【図９】本体を握力で握って奮等をＢプレート板小で跳ね飛ばす様にビニール袋 の奥への集納を示す側断面図である。
【図１０】本体から奮等の納まったビニール袋を図１０にかけて切り離すことを示す側断面図である。
【図１１】ビニール袋を本体から切り離した側断面図である。
【符号の説明】
【００１６】
１           Ａプレート板大
２           Ｂプレート板小
３           バネ付き丁番
４           開口部
５           クリップ
６           ビニール袋
７           奮、汚物等
８           地面、床等
【図１】
2006223135.tif 000003
【図２】
2006223135.tif 000004
【図３】
2006223135.tif 000005
【図４】
2006223135.tif 000006
【図５】
2006223135.tif 000007
【図６】
2006223135.tif 000008
【図７】
2006223135.tif 000009
【図８】
2006223135.tif 000010
【図９】
2006223135.tif 000011
【図１０】
2006223135.tif 000012
【図１１】
2006223135.tif 000013
【手続補正書】
【提出日】平成17年4月27日(2005.4.27)
【手続補正１】
【補正対象書類名】明細書
【補正対象項目名】００１１
【補正方法】変更
【補正の内容】
【００１１】
図２は、側断面図１を握力で３、バネ付丁番を介してＡプレート板大、Ｂ、プレート板小の下部が閉じた側面図で２、Ｂフレート板小の下部が１、Ａプレート板大の４、開口部を（交差）通過して７、奮を跳ね飛ばす様に押し込む過程を表す図面である。
【手続補正２】
【補正対象書類名】明細書
【補正対象項目名】００１４
【補正方法】変更
【補正の内容】
【００１４】
図８、図９、は８、地面等の７、奮等を覆い、手の握力で本体を閉じ７、奮等を２、Ｂプレート板小下部で跳ね飛ばす様に６、ビニール袋の奥に集納して、その後、該（奮の納った）６、ビニール袋を本体から外して処理するものである。
【手続補正３】
【補正対象書類名】明細書
【補正対象項目名】００１５
【補正方法】変更
【補正の内容】
【００１５】
【図１】本発明の側断面図である。（開いた状態お示す）
【図２】図面１の側断面図である。（閉じた状態お示す）
【図４】正面図である。
【図５】裏面図である。
【図６】前記本体にビニール袋の取り付け手順を示す側断面図１である。
【図７】ビニール袋の取り付け手順を示す側断面図２である。
【図８】本体で奮等を覆う様に被せた側断面図である。
【図９】本体を握力で握って奮等をＢプレート板小で跳ね飛ばす様にビニール袋の奥への集納を示す側断面図である。
【手続補正４】
【補正対象書類名】図面
【補正対象項目名】全図
【補正方法】変更
【補正の内容】
【図１】
2006223135.tif 000014
【図２】
2006223135.tif 000015
【図３】
2006223135.tif 000016
【図４】
2006223135.tif 000017
【図５】
2006223135.tif 000018
【図６】
2006223135.tif 000019
【図７】
2006223135.tif 000020
【図８】
2006223135.tif 000021
【図９】
2006223135.tif 000022